(57)【要約】【課題】光ルミネセンス液晶ディスプレイを提供する。【解決手段】本発明に係る光ルミネセンス液晶ディスプレイは、青色バックライトと、赤色及び緑色蛍光体層と、青色光ルミネセンスＮＤ層、を備える。これにより、前記光ルミネセンス液晶ディスプレイは、青色画素で、従来の問題点である狭い視野角及び方向性を改善できる。前記光ルミネセンス液晶ディスプレイはさらに、周辺光に含まれたＵＶを遮断するＵＶフィルタを備えることにより、外光による発光層の励起を防止し、画像表示に不要な発光によるコントラストの低下を抑制できる。【選択図】図１
2006301632.tif 000002
【特許請求の範囲】
【請求項１】
青色光を発するバックライトと、
赤色、緑色及び青色の複数の画素を定義し、前記バックライトからの青色光をスイッチングして、各色ごとに定義された前記画素を通じて青色光の光路を制御する液晶及び液晶を駆動する液晶駆動回路と、
前記赤色画素に対応するように設けられる前記青色光に励起されて赤色光を発する赤色蛍光体層と、
前記緑色画素に対応するように設けられる前記青色光に励起されて緑色光を発する緑色蛍光体層と、
前記青色画素に対応するように設けられる前記青色光に励起されて青色光を発する青色光ルミネセンスナノドット層と、を備えることを特徴とする光ルミネセンス液晶ディスプレイ。
【請求項２】
前記青色光ルミネセンスナノドット層は、ＩＩ−ＩＶ族及びＩＩＩ−Ｖ族の化合物からなる群より選択される少なくとも一種から形成されることを特徴とする請求項１に記載の光ルミネセンス液晶ディスプレイ。
【請求項３】
前記赤色蛍光体は、（Ｓｒ，ＣａＳ）：Ｅｕ２＋、（Ｓｒ，Ｃａ）２Ｓｉ５Ｎ８：Ｅｕ２＋、Ｍｇ４ＧｅＯ５．５  Ｆ：Ｍｎ４＋からなる群から選択される少なくとも一種であり、
前記緑色蛍光体は、ＳｒＧａ２Ｓ４：Ｅｕ２＋、（Ｂａ，Ｓｒ）ＳｉＯ４：Ｅｕ２＋、ＭｇＳｉ２Ｏ７、ＳｒＡｌ２Ｏ４：Ｅｕ２＋、Ｃａ８Ｍｇ（ＳｉＯ４）４Ｃｌ２：Ｅｕ２＋、及び（Ｃｒ，Ｃａ）（Ａｌ，Ｓｉ）２：Ｅｕ２＋からなる群から選択される少なくとも何れか一種であり、
前記青色光ルミネセンスナノドットは、ＩＩ−ＩＶ族及びＩＩＩ−Ｖ族からなる群より選ばれる少なくとも一種の化合物から形成されることを特徴とする請求項１または請求項２に記載の光ルミネセンス液晶ディスプレイ。
【請求項４】
外部からの紫外線（ＵＶ）を遮断して、前記蛍光体層及び前記ナノドット層が外部からのＵＶの吸収を防止するＵＶフィルタをさらに備えることを特徴とする請求項１〜３のいずれか１項に記載の光ルミネセンス液晶ディスプレイ。
【請求項５】
前記ＵＶフィルタは、パラアミノ安息香酸（ＰＡＢＡ）前駆体、桂皮酸前駆体、サリチル酸前駆体、ベンゾフェノン、ベンゾフェノン前駆体、アントラニル酸塩、アントラニル酸塩前駆体からなる群より選ばれる少なくとも一種の化合物から形成されることを特徴とする請求項４に記載の光ルミネセンス液晶ディスプレイ。
【請求項６】
前記ＵＶフィルタは、亜鉛酸化物、チタン酸化物、鉄酸化物及びマグネシウム酸化物からなる群より選ばれる少なくとも一種から形成されることを特徴とする請求項４に記載の光ルミネセンス液晶ディスプレイ。
【発明の詳細な説明】
【技術分野】
【０００１】
本発明は、液晶ディスプレイ（以下ＬＣＤとも言う。）に係るものであり、より詳しくは、光利用効率の高い光ルミネセンス（以下ＰＬ−ＬＣＤとも言う）に関する。
【背景技術】
【０００２】
ＬＣＤは、非発光型ディスプレイであって、画面表示のために別途のバックライト装置が必要である。ＬＣＤはまた、カラー画像を表示するために、Ｒ（Ｒｅｄ）、Ｇ（Ｇｒｅｅｎ）及びＢ（Ｂｌｕｅ）カラーフィルタを各画素ごとに設けられなければならない。
【０００３】
前記Ｒ、Ｇ、及びＢカラーフィルタは、バックライトから入射される白色光をＲ、Ｇ、及びＢに分離する。カラーフィルタは、白色光の１／３の強度で特定の波長の光のみを通過させるので、結果として、光損失が大きい。したがって、十分な輝度の画像を表示するためには、さらに高い輝度を有するバックライト装置が要求される。
【０００４】
特許文献１及び２に開示されたカラーフィルタを利用する代わりに、ＵＶで励起させる蛍光体を使ったＰＬ−ＬＣＤは、優れた光利用効率を有する。ここで、紫外線をＵＶとも言う。
【０００５】
特許文献３では、青色バックライト並びに赤色及び緑色蛍光体を利用したＰＬ−ＬＣＤを提案している。特許文献３に開示されたＬＣＤは、青色画素は、カラーフィルタまたは蛍光体の代わりに液晶（以下ＬＣともいう。）を使って光路を単純にスイッチしている。赤色及び緑色蛍光体は、ＬＣによりスイッチされる青色バックライトにより励起される。
【０００６】
このような特許文献３に開示されたＰＬ−ＬＣＤの欠点として、青色画素から発光された光は、偏光成分を有するので、視野角が狭く、方向性があるという点が挙げられる。このように、偏光成分及び狭い視野角を有する青色画素は、偏光成分がなく、かつ視野角の広い赤色及び緑色画素とは異なる光学的性質を有する。
【０００７】
一方、周辺光に青色系ＵＶが含まれているため、赤色及び緑色画素の蛍光体は、青色バックライトによって励起されるのみならず、外部から入射される周辺光によっても励起されてしまう。このような周辺光に含まれるＵＶは、ＬＣＤにおける画像表示に関係なく蛍光体を不必要に励起することによってコントラスト比を低下させる。
【特許文献１】米国特許第４，８２２，１４４号明細書
【特許文献２】米国特許第４，８３０，４６９号明細書
【特許文献３】米国出願公開第２００２／０１４５，６８５号明細書
【発明の開示】
【発明が解決しようとする課題】
【０００８】
本発明の目的は、画素間の光学的な特性差を減少させるために構築された、構造が簡易なＰＬ−ＬＣＤを提供することである。
【０００９】
本発明の他の目的は、周辺光によるコントラスト比の低下を抑制して良質な画像を表示できるＰＬ−ＬＣＤを提供することである。
【課題を解決するための手段】
【００１０】
本発明に係るＬＣＤは、青色光を発するバックライトと、赤色、緑色及び青色の複数の画素を定義し、前記バックライトからの青色光をスイッチングして、各色ごとに定義された前記画素を通じて青色光の光路を制御するＬＣ及びＬＣを駆動するＬＣ駆動回路と、前記赤色画素に対応するように設けられる前記青色光に励起されて赤色光を発する赤色蛍光体層と、前記緑色画素に対応するように設けられる前記青色光に励起されて緑色光を発する緑色蛍光体層並びに、前記青色画素に対応するように設けられる前記青色光に励起されて青色光を発する青色光ルミネセンスナノドット層、を備える。ここで、ナノドットは、ＮＤとも略記する。
【００１１】
本発明において、前記青色光の波長は４３０〜４８０ｎｍであることが望ましい。
【００１２】
本発明の望ましい実施形態によると、前記バックライトは、青色発光ダイオード光源を含む。発光ダイオードは、以下ＬＥＤともいう。
【００１３】
前記青色光ルミネセンスＮＤ層は、硫酸カドミウム（ＣｄＳ）から形成されることが望ましい。
【００１４】
本発明の望ましい実施形態によると、外部からＵＶを遮断して、赤色及び緑色蛍光体層及び青色光ルミネセンスＮＤ層の外部からのＵＶを遮断するＵＶフィルタをさらに備えることである。
【００１５】
前記ＵＶフィルタは、ＵＶを吸収する化学的遮断剤または入射するＵＶを反射及び分散させる物理的遮断剤を利用することができる。
【００１６】
化学的遮断剤としては、ＰＡＢＡ（パラアミノ安息香酸）前駆体、桂皮酸前駆体、サリチル酸前駆体、ベンゾフェノン、ベンゾフェノン前駆体、アントラニル酸塩及びアントラニル酸塩前駆体などがある。尚、前記化学的遮断剤は、単独で使用されても、２種以上の混合で使用されても良い。
【００１７】
物理的遮断剤としては、亜鉛酸化物（例えば、酸化亜鉛）、チタン酸化物（例えば、二酸化チタン）、鉄酸化物（例えば、酸化鉄）、及びマグネシウム酸化物（例えば、酸化マグネシウム）などがある。尚、前記物理的遮断剤は、単独で使用されても、２種以上の混合で使用されても良い。または、化学的遮断剤と物理的遮断剤とを組み合わせて使用してもよい。
【発明の効果】
【００１８】
本発明のＰＬ−ＬＣＤは、青色画素に蛍光体を有しない従来のＬＣＤの欠点を改善し、さらには、すべてのＰＬ−ＬＣＤの弱点となり得る外光による発光層の励起及びこれによるコントラスト比の低下を防止することによって、高輝度で、光利用効率の優れた良質な画像を表示できる。
【発明を実施するための最良の形態】
【００１９】
以下、添付された図面を参照して、本発明の望ましい実施形態を詳細に説明する。
【００２０】
図１に示すように、本発明の第１実施形態に係る液晶ディスプレイ（ＬＣＤ）は、ディスプレイパネル１０及び青色バックライト２０を備える。
【００２１】
前記青色バックライト２０は、例えば、４３０〜４８０ｎｍ、特に４６０ｎｍの波長を有する青色可視光線を発する青色発光ダイオードを利用する。
【００２２】
まず、ディスプレイパネル１０は、所定間隔で離隔されている前面板１８及び背面板１１並びに、それらに挟まれた液晶（ＬＣ）層１４を含む。
【００２３】
赤色蛍光体層Ｒ、緑色蛍光体層Ｇ、及び、青色光ルミネセンスＮＤ層Ｂを備える発光層１７が、前面板１８の内面上に配置されている。共通電極１６及び上部配向層１５が発光層１７上に、順次に形成されている。そして、複数個の薄膜トランジスタ（以下ＴＦＴとも言う。）スイッチング素子ＳＷ、画素電極１２及び下部配向層１３を備える液晶駆動回路が、背面板１１上で順次に形成されている。ここで、前記発光体層Ｒ及びＧ並びに青色光ルミネセンスＮＤ層Ｂは、前記バックライト２０からの４６０ｎｍの青色光により励起され発光する。ここで、青色光ルミネセンスＮＤ層Ｂは、例えば、バックライト２０からの４６０ｎｍの青色光により励起されて、４６０ｎｍ付近の光を発光させる。このとき、ＬＣ層１４を通過して光ルミネセンスＮＤ層Ｂに入射する光は、偏光成分を有し、光ルミネセンスＮＤ層Ｂにより発光した光は、直線偏光成分のない、楕円形偏光または円形偏光成分を有する。光ルミネセンスＮＤ層Ｂにより発生した光は、線形偏光成分を有していないので、青色光ルミネセンスＮＤ層Ｂから得られる青色画素の光は、視野角が広く、かつ方向性がなく、配向していない。
【００２４】
前記青色光ルミネセンスＮＤ（または量子ドットとも言う。）は、量子閉じ込め効果を示す所定サイズの半導体粒子をいい、このような量子ドット直径は、１〜１０ｎｍの範囲である。前記量子ドットは、湿式化学法により合成され得る。ここで、前記湿式化学法とは、有機溶媒中で前駆体化合物を混合させて粒子を成長させる既知の方法である。湿式化学法による量子ドットの合成方法は、既に公知の技術である。前記量子ドットの一例としては、セレン化カドミウム（ＣｄＳｅ）、テルル化カドミウム（ＣｄＴｅ）、硫化カドミウム（ＣｄＳ）、セレン化亜鉛（ＺｎＳｅ）、テルル化亜鉛（ＺｎＴｅ）、硫化亜鉛（ＺｎＳ）、テルル化水銀（ＨｇＴｅ）または硫化水銀（ＨｇＳ）等のＩＩ−ＶＩ族の化合物がある。また、前記量子ドットは、コア−シェル構造を有し、この際、前記コアとは、ＣｄＳｅ、ＣｄＴｅ、ＣｄＳ、ＺｎＳｅ、ＺｎＴｅ、ＺｎＳ、ＨｇＴｅ及びＨｇＳからなる群から選択された少なくとも何れか一種の化合物を含むものであり、前記シェルは、ＣｄＳｅ、ＣｄＴｅ、ＣｄＳ、ＺｎＳｅ、ＺｎＴｅ、ＺｎＳ、ＨｇＴｅ及びＨｇＳからなる群から選択された少なくとも何れか一種の化合物を含むものである。さらに、リン化インジウム（ＩｎＰ）などのＩＩＩ−Ｖ族の化合物からも形成されうる。
【００２５】
一方、前記前面板１８の外面に外部からの紫外線（ＵＶ）を遮断して、前記蛍光体層及び前記ナノドット層が外部からのＵＶの吸収を防止するＵＶフィルタ１９が配置されている。前記ＵＶフィルタ１９には、ＵＶを吸収する化学的遮断剤または入射するＵＶを反射及び分散させる物理的遮断剤を利用できる。化学的遮断剤としては、パラアミノ安息香酸（ＰＡＢＡ）前駆体、桂皮酸前駆体、サリチル酸前駆体、ベンゾフェノン、ベンゾフェノン前駆体、アントラニル酸塩及びアントラニル酸塩前駆体等がある。尚、前記化学的遮断剤は、単独で使用されても、２種以上の混合で使用されても良い。物理的遮断剤としては、亜鉛酸化物（例えば、酸化亜鉛）、チタン酸化物（例えば、二酸化チタン）、鉄酸化物（例えば酸化鉄）、マグネシウム酸化物（例えば、酸化マグネシウム）などがある。尚、前記物理的遮断剤は、単独で使用されても、２種以上の混合で使用されても良い。または、化学的遮断剤と物理的遮断剤とを組み合わせて使用してもよい。このようなＵＶフィルタ１９は、前記の発光層１７の不必要な発光を引き起こすＵＶ光が発光層１７に入射されることを防止する。このときに遮断されるＵＶ光の波長は、前記青色ＮＤによって発光する４６０ｎｍより短い青色に近い領域にある。該ＵＶ光は、例えば、約４００ｎｍ以下の波長を有する。
【００２６】
一方、背面板１１の底の表面近くに位置している青色バックライト２０は、前述したように、青色ランプ２１及び光導体／拡散部材２２を備える。前記ランプ２１は、前述したように、青色ＬＥＤでもよい。前記光導体／拡散部材２２は、前記ランプ２１からの青色光を前記背面板１１側に導波させると共に、それを均一な分布で拡散させる。
【００２７】
ここで、光導体／拡散部材２２は選択的であり、この場合、前記ランプ２１は、前記背面板１１の全面に対応するサイズを有している。例えば、ランプ２１としてＬＥＤが使われる場合、多数のＬＥＤが密に二次元配列されている。このように、大画面のＬＣＤを達成させるためは、ＬＣＤの全面にわたって青色光を供給する光源が、必要である。
【００２８】
ランプ２１がＬＥＤの配列の場合、ＬＥＤ２１は、図２に示しているエッジライトタイプのような、光導体／拡散部材の一つの端に平行に一列に複数配置される構造を有し得る。他の実施形態によると、図３に示すように、択一的に、ＬＥＤが背面板１１の表面全面と対応するように、光導体／拡散部材２２平面全体が配置されうる。
【００２９】
図４は、本発明の第２実施形態に係るＬＣＤの概略的な断面構造を示している。
【００３０】
第１実施形態及び第２実施形態とのＬＣＤの相違点は、発光層１７及びＵＶフィルタ１９の位置である。図４に示すように、本発明の第２実施形態に係るＬＣＤは、ディスプレイパネル１０及び青色光バックライト２０を備える。
【００３１】
まず、ディスプレイパネル１０は、所定の間隔で離隔されている前面板１８及び背面板１１、並びにこれらに挟まれた空間にＬＣ層１４を含む。
【００３２】
前面板１８の内面で、共通電極１６及び上部配向層１５が順次に形成されている。そして、背面板１１の内面には、ＴＦＴなどのスイッチング素子ＳＷ及び画素電極１２が形成され、その上に下部配向層１３が形成されている。
【００３３】
前面板１８及び背面板１１の外面に偏光板２５、２４が配置されている。ＵＶが照射されるとき、発光層１７は、偏光板２５を覆って、所定の色の光を発光させる。前記発光層１７は、前述したように、４６０ｎｍの青色光を吸収して、所定の色の光を発することがよく知られている赤色蛍光体層、緑色蛍光体層及び青色光ルミネセンスＮＤ層を備える。
【００３４】
そして、発光層１７は、保護基板２３により覆われており、ＵＶフィルタ１９が保護基板２３の表面に配置され、ＵＶフィルタ１９は、前述したような前記ＮＤ層Ｂによって発光される波長よりも短い波長のＵＶ光を遮断する。
【００３５】
前記ＵＶフィルタ１９は、ＵＶを吸収する化学的遮断剤または入射するＵＶを反射及び分散させる物理的遮断剤を利用できる。化学的遮断剤としては、ＰＡＢＡ前駆体、桂皮酸前駆体、サリチル酸前駆体、ベンゾフェノン、ベンゾフェノン前駆体、アントラニル酸塩及びアントラニル酸塩前駆体等がある。尚、前記化学的遮断剤は、単独で使用されても、２種以上の混合で使用されても良い。物理的遮断剤としては、亜鉛酸化物（例えば、酸化亜鉛）、チタン酸化物（例えば、二酸化チタン）、鉄酸化物（例えば、酸化鉄）、マグネシウム酸化物（酸化マグネシウム）等がある。尚、前記物理的遮断剤は、単独で使用されても、２種以上の混合で使用されても良い。または、化学的遮断剤と物理的遮断剤とを組み合わせて使用してもよい。このようなＵＶフィルタ１９は、前記発光層１７の不必要な発光を引き起こすＵＶが発光層１７に入射されることを防止する。
【００３６】
図５は、本発明のＬＣＤでスイッチング素子ＳＷであるＴＦＴ、及びそれに連結される画素電極１２の垂直構造を示す断面図である。図５に示すＴＦＴは、ボトムゲート構造を有し、その際ゲートＳＷｇがシリコンチャンネルＳＷｃの下部に配置される。さらに具体的にいうと、基板１１の一つのサイドにゲートＳＷｇが形成され、ＳＷｇを形成するゲート上で、基板１１全体にゲート絶縁層ＳＷｉが形成される。シリコンチャンネルＳＷｃが、前記ゲートＳＷｇの上方のゲート絶縁層ＳＷｉ上に形成され、ＩＴＯ等の透明性画素電極１２がゲート絶縁層ＳＷｉ上に配置され、それはシリコンチャンネルＳＷｃに隣接している。そして、シリコンチャンネルＳＷｃの上の両側には、ソースＳＷｓ及びドレインＳＷｄが位置し、それらの上には、パッシベーション層ＳＷｐが形成される。前記ドレインＳＷｄは、前記画素電極１２まで延びて、前記ドレインＳＷｄと画素電極１２とを電気的に連結する。前記ＴＦＴスイッチング素子ＳＷ及び前記画素電極１２の上には、ＬＣに接触してＬＣを配向する下部配向層１３が覆われる。
【００３７】
前述したように、本発明に係るＬＣＤにおいて、前記赤色蛍光体は、（Ｓｒ，ＣａＳ）：Ｅｕ２＋、（Ｓｒ，Ｃａ）２Ｓｉ５Ｎ８：Ｅｕ２＋  、Ｍｇ４ＧｅＯ５．５  Ｆ：Ｍｎ４＋からなる群から選択される少なくとも何れか一種、前記緑色蛍光体は、ＳｒＧａ２Ｓ４：Ｅｕ２＋、（Ｂａ，Ｓｒ）ＳｉＯ４：Ｅｕ２＋、ＭｇＳｉ２Ｏ７、ＳｒＡｌ２Ｏ４：Ｅｕ２＋、Ｃａ８Ｍｇ（ＳｉＯ４）４Ｃｌ２：Ｅｕ２＋、（Ｃｒ，Ｃａ）（Ａｌ，Ｓｉ）２：Ｅｕ２＋からなる群から選択される少なくとも何れか一種である。
【００３８】
図６は、光輝性物質であるＣｄＳの光ルミネセンス（ＰＬ）強度の変化を示すグラフである。
【００３９】
図６に示すように、４８０ｎｍ付近までの光を吸収して、４８０ｎｍ付近の波長で最大のＰＬ強度を示す。したがって、このようなＮＤの特性を利用すれば、青色偏光を同じような波長を有する無偏光に変換させ得る。
【００４０】
図７は、明るい照明または太陽光などの周辺光に含まれる３９２ｎｍのＵＶによって励起された蛍光体の発光強度を示すグラフである。図７の結果は、従来のＵＶ励起蛍光体として、各色ごとに、２つの異なったメーカーの２種類の蛍光体が利用され、実験のための光源として３９２ｎｍのＬＥＤを使用した。
【００４１】
図７に示すように、外部光として約３９２ｎｍの波長を有するＵＶがＲ、Ｇ、及びＢ蛍光体を励起し、最も短い波長の２種類の青色蛍光体から類似した強度を持つ青色発光を発した。異なったメーカーで購入できる２種類の緑色蛍光体は、強い強度及び弱い強度を伴う緑色光を発した。赤色蛍光体は、非常に弱い強度を有する赤色光を発光した。
【００４２】
このような発光を考慮すると、ＰＬ−ＬＣＤが周辺光の非常に強い環境に置かれると、画面に画像を表示することには関係のない発光が、ディスプレイの全面に渡って発生し、色ごとのコントラストを非常に低下させる。特に、青色及び緑色は、赤色に比べて非常に悪いコントラスト比を示す。
【００４３】
したがって、本発明に係るＬＣＤでは、ＵＶフィルタを用いて、外部光をＬＣＤの発光層に入射させないようにしている。ＵＶフィルタは、前述したように、化学的または物理的遮断剤を利用し、外光によるコントラスト比の低下を抑制する。
【００４４】
ＵＶフィルタの遮断波長は、例えば、発光体の励起に必要な４００ｎｍ前後の波長帯域を含む可視青色光帯域よりも短く、画像表示に必要な可視光線の領域は含まれない。
【００４５】
前記実施形態の説明によると、本発明は、ＴＦＴアクティブマトリックス型ＬＣＤに関するものとして説明されたが、これは、本発明の技術的な範囲を制限せず、スイッチ素子のない単純マトリックス型ＬＣＤを用いてもよい。
本発明に係るＰＬーＬＣＤは、青色画素のための蛍光体がなかった従来のＬＣＤの不利益を改善する一方で、外部光によって発光層が励起されることによるＰＬーＬＣＤの典型的な不利益であるコントラスト比の低下を防止する。従って、該ＰＬーＬＣＤは、高輝度であるだけでなく、光利用効率の優れたハイクオリティな画像を表示する。
【００４６】
このような本発明の理解を助けるために、いくつかの典型的な実施形態を説明し、例示したが、本発明は、ここで説明している実施形態に限定して理解してはならず、また、これらの実施形態が与えられることにより、開示が徹底され、終結し、当業者に本発明の概念を与えている。本発明が属する技術分野において通常の知識を有するものであれば本発明の思想と精神を逸脱することなく、本発明を修正または変更できると理解せねばならない。
【産業上の利用可能性】
【００４７】
本発明は、ＬＣＤに関連した技術分野に好適に適用され得る。
【図面の簡単な説明】
【００４８】
【図１】本発明の第１実施形態に係る液晶ディスプレイ（ＬＣＤ）の概略的な構造を示す断面図である。
【図２】本発明に係るＬＣＤのバックライト部の一実施形態を説明する図面である。
【図３】本発明に係るＬＣＤのバックライト部の他の実施形態を説明する図面である。
【図４】本発明の第２実施形態に係るＬＣＤの概略的な構造を示す断面図である。
【図５】本発明に係るＬＣＤのスイッチング素子及び画素電極の構造を示す断面図である。
【図６】ＣｄＳ  ナノドットの光ルミネセンス（ＰＬ）強度の変化を示すグラフである。
【図７】従来の光ルミネセンス液晶ディスプレイ（ＰＬ−ＬＣＤ）の外光に含まれるＵＶによって励起された、蛍光体の発光強度を示すグラフである。
【符号の説明】
【００４９】
１０  ディスプレイパネル
１１  背面板
１２  画素電極
１３  下部配向層
１４  ＬＣ層
１５  上部配向層
１６  共通電極
１７  発光層
１８  前面板
１９  ＵＶフィルタ
２０  青色バックライト
２１  青色ランプ
２２  光導体／拡散部材
２３  保護基板
２４、２５  偏光板
Ｒ  赤色蛍光体層
Ｇ  緑色蛍光体層
Ｂ  青色光ルミネセンスＮＤ層
ＳＷ  スイッチング素子
【図１】
2006301632.tif 000003
【図２】
2006301632.tif 000004
【図３】
2006301632.tif 000005
【図４】
2006301632.tif 000006
【図５】
2006301632.tif 000007
【図６】
2006301632.tif 000008
【図７】
2006301632.tif 000009